(57)【要約】【課題】ユーザーの身体を安定的に保持すると共に体圧を効率的に分散する一方、複数の使用目的に対応し得るようにする。【解決手段】パッド本体１２は、異なる弾性素材から夫々形成して硬度を相異させた第１パッド部２０および第２パッド部３０で構成され、各々のパッド部２０，３０の外面２２，３２で身体保持面１４を形成する。前記パッド本体１２にユーザーの体重が加わった際には、前記第１パッド部２０および第２パッド部３０の変形度合が異なるため、前記身体保持面１４が該ユーザーの体型に追従して変形するようになり、身体保持と体圧分散化を図り得る。また第２パッド部３０は、第１パッド部２０に対して連結部材４０をヒンジ中心とした姿勢変位が許容され、体位保持パッドとしての他に座面クッション等としても使用可能である。【選択図】  図１
2004223082.tif 000002
【特許請求の範囲】
【請求項１】
適宜の弾性素材から所定の外形形状に形成したパッド本体（１２）からなり、該パッド本体（１２）の外面をなす身体保持面（１４）でユーザーの身体を当て受けして、該ユーザーを所要の姿勢に保持するようにした身体保持パッドにおいて、
前記パッド本体（１２）を、異なる弾性素材から夫々形成して硬度を相異させた複数のパッド部（２０，３０）で構成すると共に、
前記身体保持面（１４）を、前記各パッド部（２０，３０）における夫々の外面（２２，２４／３２，３４）で形成し、
前記パッド本体（１２）に前記ユーザーの体重が加わった際に、前記各パッド部（２０，３０）の変形度合が異なることで前記身体保持面（１４）を当該ユーザーの体型に追従させ、これにより体圧の分散化を図り得るようにしたことを特徴とする身体保持パッド。
【請求項２】
前記各パッド部（２０，３０）は、個別に形成されると共に連結部材（４０）により部分的に連結され、相互に隣接する一方のパッド部（３０）は、他方のパッド部（２０）に対して前記連結部材（４０）をヒンジ中心とした姿勢変位が許容される請求項１記載の身体保持パッド。
【請求項３】
前記各パッド部（２０，３０）は、一体的に形成されて端縁に沿った接合部（４２）で部分的に接合され、相互に隣接する一方のパッド部（３０）は、他方のパッド部（２０）に対して前記接合部（４２）をヒンジ中心とした姿勢変位が許容される請求項１記載の身体保持パッド。
【請求項４】
前記一方のパッド部（３０）は、前記他方のパッド部（２０）に対して、両者（２０，３０）における第２の外面（２４，３４）同士を密着させた第１位置および第１の外面（２２，３２）同士を密着させた第２位置の間で姿勢変位し、
前記一方のパッド部（３０）を前記第１位置に姿勢変位させた際には、前記第１の外面（２２，３２）により第１の身体保持面（１４，１４Ａ）が形成され、該一方のパッド部（３０）を前記第２位置に姿勢変位させた際には、前記第２の外面（２４，３４）により第２の身体保持面（１４，１４Ｂ）が形成される請求項２または３記載の身体保持パッド。
【請求項５】
前記各パッド部（２０，３０）の硬度差は２．０Ｎ／ｃｍ２以内に設定されている請求項１〜４の何れかに記載の身体保持パッド。
【発明の詳細な説明】
【０００１】
【発明の属する技術分野】
この発明は、身体保持パッドに関し、更に詳細には、適宜の弾性素材から所定の外形形状に形成したパッド本体からなり、該パッド本体の外面をなす身体保持面でユーザーの身体を当て受けして、所要の姿勢に保持するようにした身体保持パッドに関するものである。
【０００２】
【従来の技術】
自ら寝返りができない身障者や老人（以下、「患者」または「ユーザー」という）等に対する床擦れ（褥そう）予防および寝返り支援のために、所定の外形形状に形成した「身体保持パッド」が使用されている。この身体保持パッドは、体位変換パッドまたは体位支持パッドとも称され、例えば三角柱形状、四角柱形状、円柱形状、複筒形状、蒲鉾形状または円盤形状等、様々な外形形状に成形したパッド本体からなり、該パッド本体の一部外面をなす身体保持面で患者の身体を当て受けして、該患者を所要の姿勢に保持するようになっている。ここで前記パッド本体は、ポリウレタンフォーム（ＰＵＦ）、エステル綿、ポリスチレン（ＰＳ）ビーズ粒等、適宜弾力性を有する弾性素材から形成されている。
【０００３】
前記身体保持パッドを使用して患者（ユーザー）の体位変換および体位保持を行なうに際しては、寝具に横になっている当該ユーザーの身体を、仰向け状態（水平状態）に対して３０度程度まで傾けた傾斜姿勢で保持するのが良いとされている。但し、この角度でユーザーの身体を保持する場合には、該ユーザーが自身の身体を完全に委ねると、比較的大きな押圧力がパッド本体に加わるようになる。
このため身体保持パッドには、▲１▼ユーザーの身体を前記傾斜姿勢で安定的に保持すること、▲２▼保持する際に体圧を効率的に分散して新たな床擦れの発生を防止すること、の各機能を高次元で両立することが要求されている。このような身体保持パッドに関する技術は、例えば特許文献１または特許文献２等に開示されている。
【０００４】
【特許文献１】
特開昭６３−１９４６５８号公報
【特許文献２】
特開２００２−１４３２３３号公報
【０００５】
【発明が解決しようとする課題】
ところで従来の身体保持パッドは、前述した様々な外形形状のものが提案されており、個々の外形形状毎に、弾性素材の種類や組成割合あるいは成形方法等を適宜変更することでパッド本体の柔硬程度を変えたものも提案されている。しかしながら、各々の身体保持パッドのパッド本体は、それ自体が単一の弾性素材から一体的かつ均一的に成形されたものばかりであり、全体が同一の硬度で形成されているため、何れの部位を押圧しても均一的に弾性変形するようになる。従って、身体保持パッドに要求される前記▲１▼の機能を達成させようとすると、弾力性が低い硬めのパッド本体を採用する必要があり、また前記▲２▼の機能を達成させようとすると、弾力性が高い柔らかめのパッド本体を採用する必要がある。
【０００６】
ところが、前者の硬めのパッド本体を採用した身体保持パッドでは、ユーザーの身体を適切な傾斜姿勢に保持し得る利点があるとしても、前記身体保持面がユーザーの体型に追従するように変形し難いため、体圧の効率的な分散が図られずに新たな床擦れを誘発する虞がある。一方、後者の柔らかめのパッド本体を採用した身体保持パッドでは、前記身体保持面がユーザーの体型に追従するよう変形するので体圧を好適的に分散し得る利点があるものの、所謂腰のない状態となって必要以上に変形し易く、当該ユーザーの身体を適切な傾斜姿勢に保持し得なくなる虞がある。すなわち従来の身体保持パッドは、前述した▲１▼および▲２▼の両機能の両立を好適に図ったものが提案されていなかった。
【０００７】
また従来の身体保持パッドは、前記パッド本体が単一のブロック体として構成されているため、単独で使用するものが殆どであった。このため、例えば前述の傾斜姿勢とは異なる姿勢（体位）でユーザーの身体を保持する必要がある場合には、例えば前記特許文献１に開示の如く、複数個の身体保持パッドを単に積み重ねたり突き合わせて使用していた。しかしながら、ユーザーが少しだけ身体を動かしても各々身体保持パッドが分離してしまい、当該ユーザーの身体を安定的に保持し得ない不都合があった。更に従来の身体保持パッドは、基本的には寝具に寝ているユーザーの身体保持に使用することだけを前提としており、これ以外の目的で使用し得るようにはなっていなかった。
【０００８】
【発明の目的】
本発明は、前述した課題を好適に解決するべく提案されたもので、ユーザーの身体を所定の姿勢で安定的に保持し得ると共に体圧を効率的に分散し得るようにする一方、外形形状を変更することで複数の使用目的に対応し得るようにした身体保持パッドを提供することを目的とする。
【０００９】
【課題を解決するための手段】
前記課題を解決して、所期の目的を達成するため本発明は、適宜の弾性素材から所定の外形形状に形成したパッド本体からなり、該パッド本体の外面をなす身体保持面でユーザーの身体を当て受けして、該ユーザーを所要の姿勢に保持するようにした身体保持パッドにおいて、
前記パッド本体を、異なる弾性素材から夫々形成して硬度を相異させた複数のパッド部で構成すると共に、
前記身体保持面を、前記各パッド部における夫々の外面で形成し、
前記パッド本体に前記ユーザーの体重が加わった際に、前記各パッド部の変形度合が異なることで前記身体保持面を当該ユーザーの体型に追従させ、これにより体圧の分散化を図り得るようにしたことを特徴とする。
【００１０】
【発明の実施の形態】
次に、本発明に係る身体保持パッドにつき、好適な実施例を挙げ、添付図面を参照しながら以下説明する。
【００１１】
【第１実施例】
図１は、本発明の第１実施例に係る身体保持パッドを示した概略斜視図、図２は、図１のＩＩ−ＩＩ線断面図である。この第１実施例の身体保持パッド１０は、適宜の弾性素材から所定の外形形状に形成したパッド本体１２からなり、図５に示すように、該パッド本体１２の外面をなす身体保持面１４でユーザーＵの身体を当て受けして、該ユーザーＵを所要の姿勢に保持するようになっている。そして、前記パッド本体１２を、異なる弾性素材から夫々形成して硬度を相異させた２個のパッド部２０，３０で構成すると共に、これに伴って前記身体保持面１４を、前記各パッド部２０，３０における夫々の外面２２，２４／３２，３４で形成するようにしたことを特徴としている。
【００１２】
前記各々のパッド部２０，３０は、夫々が分離して個別に形成されると共に連結部材４０により部分的に連結され、相互に隣接する一方のパッド部（第２パッド部）３０は、他方のパッド部（第１パッド部）２０に対して前記連結部材４０をヒンジ中心とした姿勢変位が許容されている。すなわち、第１パッド部２０および第２パッド部３０から構成されるパッド本体１２は、後述するように、第１パッド部２０に対して第２パッド部３０を姿勢変位させることで全体的な外形形状が変形し、これにより前記身体保持面１４の形態（形状、傾斜角度等）を変更させ得るようになっている。
【００１３】
前記第１パッド部２０は、図１および図７に示すように、側面形状が台形とされた四角柱形状であり、例えばウレタン材料から成形された弾性素材であるポリウレタンフォームから形成されている。外形サイズは、例えば長さＬ１＝４０ｃｍ、底部幅Ｗ１＝２０ｃｍ、上部幅Ｗ２＝１０ｃｍ、高さＨ１＝６ｃｍ程度とされており、傾斜角度Ｒ１＝約３０°で傾斜した傾斜面が前記外面（第１外面）２２とされると共に、上部の水平面が前記外面（第２外面）２４とされている。この第１パッド部２０を構成するポリウレタンフォームの物性は、硬度＝０．０５〜２．５Ｎ／ｃｍ２、密度＝１０〜９５ｋｇ／ｍ３の範囲から選択される。このような第１パッド部２０は、例えば前記外形形状と同一形状のキャビティを有する発泡成形型（図示せず）を使用して一体成形する方法や、予め大型サイズに成形された原反から切出す方法等により、前記所定の外形形状に形成される。
【００１４】
前記第２パッド部３０は、図１および図７に示すように、側面形状が三角形とされた三角柱形状であり、例えば弾性素材であるポリウレタンフォームから形成されている。外形サイズは、例えば長さＬ２＝４０ｃｍ、底部幅Ｗ３＝１０ｃｍ（Ｗ２＝Ｗ３）、高さＨ２＝６ｃｍ（Ｈ１＝Ｈ２）程度とされており、傾斜角度Ｒ２＝約３０°（Ｒ１＝Ｒ２）で傾斜した傾斜面が前記外面（第１外面）３２とされると共に、底部の水平面が前記外面（第２外面）３４とされている。この第２パッド部３０を構成するポリウレタンフォームの物性は、硬度＝０．３〜３．０Ｎ／ｃｍ２、密度＝１５〜１００ｋｇ／ｍ３の範囲から選択される。このような第２パッド部３０は、例えば前記外形形状と同一形状のキャビティを有する発泡成形型（図示せず）を使用して一体成形する方法や、予め大型サイズに成形された原反から切出す方法等により、前記所定の外形形状に形成される。
【００１５】
なお、前記第１パッド部２０および第２パッド部３０の各物性は前述した範囲に設定されるが、両者の硬度差は、大き過ぎると弾力差が大きくなって身体に接触した際に違和を感ずるようになるため、「２．０Ｎ／ｃｍ２」以内に設定することが望ましい。例えば、第２パッド部３０の硬度を「３．０Ｎ／ｃｍ２」に設定する場合には、第１パッド部２０の硬度は「１．０〜２．５Ｎ／ｃｍ２」の間で設定する。すなわち、第１実施例の身体保持パッド１０におけるパッド本体１２は、第１パッド部２０よりも第２パッド部３０を硬く設定してある。
【００１６】
前記第１パッド部２０および第２パッド部３０を形成するポリウレタンフォームの硬度は、ＪＩＳ  Ｋ６４０１に規定した「硬さ試験」による方法で測定される。すなわち、硬さ試験機にセットした所要サイズ（寸法５０×３９０×３９０ｍｍ）の試験体の上に、２００φの円形加圧板を載せ、▲１▼円形加圧板を毎分１００ｍｍの速さで元の厚さの７５％まで押込む、▲２▼直ちに荷重を解除する、▲３▼再び円形加圧板を毎分１００ｍｍの速さで元の厚さの２５％に押込む、▲４▼円形加圧板をこの状態で２０秒間静止させる、の各手順を順次行なった後、２０秒経過時点で加圧に要する荷重値が硬度（単位Ｎ／ｃｍ２）となる。
【００１７】
前記連結部材４０は、前記第１パッド部２０と第２パッド部３０とを連結すると同時にヒンジとして機能させるため、柔軟性に富み、伸縮性が低く、耐久性に優れた材質のものが適しており、例えばポリエステル繊維等を材質とする薄肉のテープ状部材とされる。なお第１実施例では、第１パッド部２０の第１外面２２と第２パッド部３０の第２外面３４とに固定（貼着、接着等）された連結部材４０（４０Ａ）と、第１パッド部２０の第２外面２４と第２パッド部３０の第１外面３２とに固定（貼着、接着等）された連結部材４０（４０Ｂ）とを、交互に複数個配設した場合を例示している。但し、各連結部材４０の材質、形状・サイズ、配設形態等はこれに限定されるものではなく、第１パッド部２０と第２パッド部３０とを好適に連結すると共に姿勢変位させ得れば、これ以外の材質、形状・サイズ、配設形態でもよい。例えば、連結部材４０を面ファスナーで形成するようにすれば、前記第１パッド部２０と第２パッド部３０とを分離可能に連結する構造とし得る。
【００１８】
なお第１実施例の身体保持パッド１０は、前記パッド本体１２における第１パッド部２０および第２パッド部３０に、図示しない適宜の保護カバーを被着して実施に供される。この保護カバーは、例えば▲１▼ポリエステル生地、綿生地、絹生地、その他化学繊維織物から形成されたもの、▲２▼ポリウレタンフィルム、ポリオレフィン系フィルム（ポリエチレン、ポリプロピレン等）またはＰＶＣフィルム等から形成されたもの、▲３▼これら両方を重ね合わせて併用したもの、等が好適に実施される。このような保護カバーを使用する場合には、前記連結部材４０を該保護カバーに固定することで、第１パッド部２０と第２パッド部３０との連結を図るようにすることもできる。
【００１９】
このように構成された第１実施例の身体保持パッド１０は、連結部材４０で第１パッド部２０に連結された第２パッド部３０が、該第１パッド部２０に対して、両者２０，３０における第２外面２４，３４同士を密着させた第１位置（図１，図２）と、第１外面２２，３２同士を密着させた第２位置（図７，図８）との間で姿勢変位が可能となっている。すなわち、第２パッド部３０を第１位置に変位させた際のパッド本体１２の外形形状と、該第２パッド部３０を第２位置に変位させた際のパッド本体１２の外形形状とが異なるため、これによりユーザーＵの身体に当て受けする身体保持面１４の形態を変更し得るようになり、次に例示するような使用用途に好適に実施し得る。
【００２０】
（体位保持パッドとして）
先ず、図１および図２に示したように、前記第２パッド部３０を前記第１位置に姿勢変位させた際には、パッド本体１２の外形形状が三角柱形状を呈するようになるため、第１パッド部２０の第１外面２２および第２パッド部３０の第１外面３２により、傾斜角度Ｒ１＝約３０°に傾斜した第１の身体保持面１４（１４Ａ）が形成される。これにより身体保持パッド１０は、図５に例示するように、寝具に横たわっているユーザーＵの身体と寝具との間に差込むことで、該ユーザーＵの身体を傾斜姿勢に保持させる体位保持パッドとして好適に機能させ得るようになる。ここで、第１パッド部２０より第２パッド部３０の硬度を高く設定してあるため、ユーザーＵの身体背部（背中や腰部）に接するようになる第１パッド部２０は、体型に追従して好適に圧縮変形して体圧を効率的に分散するようになり、また該ユーザーＵの身体側部に接するようになる第２パッド部３０は、押圧された部位のみが多少圧縮変形するものの身体を適切に保持するようになる。
【００２１】
すなわち第１実施例の身体保持パッド１０は、体位保持パッドとして使用するに際し、第１パッド部２０が体型に追従して体圧を効率的に分散させると同時に、第２パッド部３０で身体を保持するようになるので、ユーザーＵの身体を所定の傾斜姿勢で適切に保持することができる。しかも、ユーザーＵの体重が大きく加わる第１パッド部２０は、体型に追従して変形してその全面で身体を保持するするようになるため、床擦れを誘発し難い。また、第１パッド部２０と第２パッド部３０とが連結部材４０を介して確実に連結されているため、ユーザーＵが腕や腰部等を多少動かしたとしても、ずれ動くことなく身体を傾斜姿勢に保持することができる。
【００２２】
なお第１実施例の身体保持パッド１０は、図３および図４に示すように、前記第１パッド部２０と第２パッド部３０との間に別の身体保持パッド１０を介挿させ、該第２パッド部３０を第１位置から適宜量だけ離間させた位置に保持して使用することも可能である。このように、第１パッド部２０の角度を変更することで、図６に示すように、ユーザーＵの身体の傾斜角度を大きくして傾斜姿勢を微妙に変化させたり、ユーザーＵの身体に対してよりフィットさせ易くなる。しかも、第１パッド部２０と第２パッド部３０とが連結部材４０を介して確実に連結されているため、ユーザーＵが腕や腰部等を多少動かしたとしても、ずれ動くことなく身体を傾斜姿勢に保持することができる。但し、第１パッド部２０と第２パッド部３０との間には、別の物品（例えばタオル等）を介挿させるようにしてもよい。
【００２３】
（座面クッションとして）
また図７および図８に示すように、前記第２パッド部３０を前記第２位置に姿勢変位させた際には、パッド本体１２の外形形状が嵩低の四角柱形状（板状）を呈するようになるため、第１パッド部２０の第２外面２４および第２パッド部３０の第２外面３４により、水平な第２の身体保持面１４が形成されるようになる。
このように外形形状を変更した身体保持パッド１０は、同一の身体保持パッド１０をもう一つ用意して２個１組で使用するようにした場合、例えば図９に示すように、両パッド１０，１０の第１パッド部２０の側面同士を対接させた向きで車椅子５０や椅子等に取付ければ、座面クッションとして好適に機能させ得るようになる。ここで、第１パッド部２０より第２パッド部３０の硬度を高く設定してあるため、ユーザーＵの臀部に接するようになる第１パッド部２０は、体型に追従して好適に圧縮変形して体圧を効率的に分散するようになる。また、車椅子５０の前側に位置する身体保持パッド１０の第２パッド部３０は、ユーザーＵの大腿部裏側に接するようになり、押圧された部位のみが多少圧縮変形するものの脚部を好適に保持するようになる。また、車椅子５０の後側に位置する身体保持パッド１０の第２パッド部３０は、ユーザーＵの臀部の後側を適切に保持するようになる。
【００２４】
すなわち第１実施例の身体保持パッド１０は、座面クッションとして使用するに際して全体が凹状に変形し、第１パッド部２０が体型に追従して体圧を効率的に分散させると同時に、第２パッド部３０で身体が前後へ移動しないよう保持するようになるので、ユーザーＵの身体を所定の着座姿勢で好適に保持することができる。また、第１パッド部２０と第２パッド部３０とが連結部材４０を介して確実に連結されているため、ユーザーＵが臀部や脚部を多少動かしたとしても身体が前方へずれ動かないように保持することができる。
【００２５】
このように第１実施例の身体保持パッド１０は、硬度の異なる第１パッド部２０および第２パッド部３０でパッド本体１２を構成すると共に、弾力性が異なるこれら２個のパッド部２０，３０の各外面２２，２４／３２，３４で身体保持面１４（１４Ａ，１４Ｂ）を形成するようにしたので、ユーザーＵの体重が加わった際に身体保持面１４（１４Ａ，１４Ｂ）を当該ユーザーＵの体型に追従させ、これにより体圧の分散化を好適的に図り得るようになる。また、相互に隣接する第２パッド部３０は第１パッド部２０に対して姿勢変位可能に連結され、これらパッド部２０，３０の姿勢変位によりパッド本体１２の外形形状が変更可能となっているので、寝ているユーザーＵの身体を所定の傾斜姿勢で保持する体位保持パッドとしては勿論、座っているユーザーＵの身体を所定の着座姿勢で保持する座面クッション等としても使用可能となる。すなわち、一つの身体保持パッド１０を複数の使用目的に対応させ得るようになり、ユーザーＵはこれ一つを準備するだけで多目的に使用できるので経済的負担を軽減し得る。
【００２６】
【第２実施例】
図１０は、本発明の第２実施例に係る身体保持パッドの構成を示した概略斜視図、図１１は、図１０のＸ−Ｘ線断面図である。この第２実施例の身体保持パッド１０は、基本的構成は前記第１実施例と同じで、前記パッド本体１２を、異なる弾性素材から夫々形成して硬度を相異させた２個のパッド部２０，３０で構成すると共に、これに伴って前記身体保持面１４を、前記各パッド部２０，３０における夫々の外面２２，２４／３２，３４で形成するようにしたことを特徴としている。但し、各々のパッド部２０，３０は、一体的に形成されて端縁に沿った接合部４２で線状に部分的に接合され、相互に隣接する一方のパッド部（第２パッド部）３０は、他方のパッド部（第１パッド部）２０に対して前記接合部４２をヒンジ中心とした姿勢変位が許容される。すなわち、第１パッド部２０および第２パッド部３０から構成されるパッド本体１２は、後述するように、第１パッド部２０に対して第２パッド部３０を姿勢変位させることで全体的な外形形状が変形し、これにより第１実施例と同様に前記身体保持面１４の形態を変更させ得るようになる。
【００２７】
前記第１パッド部２０および第２パッド部３０は、弾性素材、外形形状および硬度が前記第１実施例のものと同一とされ、ここでは詳細な説明は省略する。但し、これら第１パッド部２０と第２パッド部３０は、例えば図１４に示した発泡成形型５２により一体的に成形される。すなわち発泡成形型５２は、凹部５４ａを形成した第１成形型５４および凹部５６ａを形成した第２成形型５６からなり、両成形型５４，５６を型閉めすることで、連通部５８で空間的に連通した第１キャビティ６０および第２キャビティ６２が内部に画成される構造となっている。これによりオープン注入方式の場合では、第１成形型５４の凹部５４ａに所定量の第１のウレタン材料Ｃ１を注入すると共に第２キャビティ６２に対応する上面５４ｂに所定量の第２のウレタン材料Ｃ２を注入したもとで、第１成形型５４および第２成形型５６を型閉めするようにする（図１４（ａ））。そして、第１キャビティ６０内で発泡させる第１のウレタン材料Ｃ１と第２キャビティ６２内で発泡させる第２のウレタン材料Ｃ２とが、前記連通部５８を介して接触しつつ硬化するようになるので、第１キャビティ６０内で成形された第１パッド部２０と第２キャビティ６２内で成形された第２パッド部３０とが前記接合部４２で接合したパッド本体１２が一体成形される（図１４（ｂ））。
【００２８】
なお、前記第１パッド部２０と第２パッド部３０との連結強度を確保するために、前記第２成形型５６の成形面に連結部材４０をセットしたもとで、これら第１パッド部２０と第２パッド部３０との成形を行なうようにしてもよい（インサート成形）。このように、連結部材４０をセットして第１パッド部２０と第２パッド部３０との成形を行なえば、第１パッド部２０および第２パッド部３０の成形と同時に、該連結部材４０は両パッド部２０，３０に固定されるようになる。
但し図１０〜図１３では、連結部材４０を有しない場合を例示している。
【００２９】
このようなパッド本体１２から構成された第２実施例の身体保持パッド１０は、接合部４２で第１パッド部２０に連結された第２パッド部３０が、該第１パッド部２０に対して、両者２０，３０における第２外面２４，３４同士を密着させた第１位置（図１０、図１１）と、第１の外面２２，３２同士を密着させた第２位置（図１２、図１３）との間で姿勢変位が可能となっている。従って、前記第２パッド部３０を前記第１位置に姿勢変位させた際には、パッド本体１２の外形形状が三角柱形状を呈するようになり、各々の第１外面２２，３２により傾斜状の第１の身体保持面１４（１４Ａ）を形成して、前記第１実施例のものと同様に体位保持パッドとして機能させ得るようになる。また、前記第２パッド部３０を前記第２位置に姿勢変位させた際には、パッド本体１２の外形形状が嵩低の四角柱形状（板状）を呈するようになり、各々の第２外面２４，３４により水平状の第２の身体保持面１４（１４Ｂ）を形成して、前記第１実施例のものと同様に座面クッションとして機能させ得るようになる。
【００３０】
このように第２実施例の身体保持パッド１０も、硬度の異なる第１パッド部２０および第２パッド部３０でパッド本体１２を構成すると共に、弾力性が異なるこれら２個のパッド部２０，３０の各外面２２，２４／３２，３４で身体保持面１４（１４Ａ，１４Ｂ）を形成するようにしたので、ユーザーＵの体重が加わった際に身体保持面１４（１４Ａ，１４Ｂ）を当該ユーザーＵの体型に追従させ、これにより体圧の分散化を好適的に図り得るようになる。また、相互に隣接する第２パッド部３０は第１パッド部２０に対して姿勢変位可能に接合され、これらパッド部２０，３０の姿勢変位によりパッド本体１２の外形形状が変更可能となっているので、寝ているユーザーＵの身体を所定の傾斜姿勢で保持する体位保持パッドとしては勿論、座っているユーザーＵの身体を所定の着座姿勢で保持する座面クッション等としても使用可能となる。すなわち、一つの身体保持パッド１０を複数の使用目的に対応させ得るようになり、ユーザーＵはこれ一つを準備するだけで多目的に使用できるので経済的負担を軽減し得る。
【００３１】
なお、前記第１実施例および第２実施例では、パッド本体１２を２個のパッド部２０，３０から構成した場合を例示したが、パッド部の構成数はこれに限定されるものではなく、３個またはそれ以上の複数個から構成するようにしてもよい。このようにパッド部の構成数を多くすれば、各々のパッド部の外面で構成される前記身体保持面１４の形態パターンを増やすことができるようになり、様々な使用目的で使用することが可能となる。
【００３２】
更に前記各実施例では、パッド本体１２を構成する第１パッド部２０および第２パッド部３０に関し、第１パッド部２０よりも第２パッド部３０の硬度を大きく設定した場合を例示したが、これはあくまで身体保持パッドの使用用途によって決定されるものである。すなわち、身体保持パッドの使用目的によっては、第１パッド部２０よりも第２パッド部３０の硬度を小さく設定させてもよい。
【００３３】
また、本願が対象とする身体保持パッドは、前述した第１実施例および第２実施例に例示のように三角柱形状と四角柱形状に変更するようにしたものに限定されず、様々な外形形状のものに応用可能である。
【００３４】
【発明の効果】
以上説明した如く、本発明に係る身体保持パッドによれば、硬度の異なる複数のパッド部でパッド本体を構成すると共に、弾力性が異なるこれらパッド部の各外面で身体保持面を形成するようにしたので、ユーザーの体重が加わった際に身体保持面を当該ユーザーの体型に追従させ、これにより体圧の分散化を好適的に図り得るようになる有益な効果を奏する。また、隣接する一方のパッド部は他方のパッド部に対して姿勢変位可能に連結または接合され、これらパッド部の姿勢変位によりパッド本体の外形形状が変更可能となっているので、一つの身体保持パッドを複数の使用目的に対応させ得るようになり、ユーザーの経済的負担を軽減し得る効果等もある。
【図面の簡単な説明】
【図１】本発明の第１実施例に係る身体保持パッドを、体位保持パッドとして使用し得る状態で示した概略斜視図である。
【図２】図１のＩＩ−ＩＩ線断面図である。
【図３】第１パッド部と第２パッド部との間に別の身体保持パッドを介挿させることで、身体保持面の形態を変更させた状態を示した概略斜視図である。
【図４】図３のＩＶ−ＩＶ線断面図である。
【図５】図１に示した身体保持パッドを体位保持パッドとして使用している状態を示した説明断面図である。
【図６】図３に示した身体保持パッドを体位保持パッドとして使用している状態を示した説明断面図である。
【図７】第１実施例に係る身体保持パッドを、座面クッションとして使用し得る状態で示した概略斜視図である。
【図８】図７のＶＩＩＩ−ＶＩＩＩ線断面図である。
【図９】図７に示した身体保持パッドを２個準備し、座面クッションとして車椅子に取付けて使用している状態を示した説明断面図である。
【図１０】本発明の第２実施例に係る身体保持パッドを、体位保持パッドとして使用し得る状態で示した概略斜視図である。
【図１１】図１０のＸ−Ｘ線断面図である。
【図１２】
第２実施例に係る身体保持パッドを、座面クッションとして使用し得る状態で示した概略斜視図である。
【図１３】図１２のＹ−Ｙ線断面図である。
【図１４】第２実施例の身体保持パッドにおけるパッド本体を一体成形する状態を示した説明断面図であって、（ａ）は、発泡成形型に画成された第１キャビティおよび第２キャビティ内に別々のウレタン材料を注入した状態を示し、（ｂ）は、第１キャビティ内で成形された第１パッド部と第２キャビティ内で成形された第２パッド部とが接合されたパッド本体が一体成形された状態を示している。
【符号の説明】
１２  パッド本体
１４  身体保持面
１４Ａ  第１の身体保持面
１４Ｂ  第２の身体保持面
２０  第１パッド部（他方のパッド部）
２２  第１外面（外面）
２４  第２外面（外面）
３０  第２パッド部（一方のパッド部）
３２  第１外面（外面）
３４  第２外面（外面）
４０  連結部材
４２  接合部
【図１】
2004223082.tif 000003
【図２】
2004223082.tif 000004
【図３】
2004223082.tif 000005
【図４】
2004223082.tif 000006
【図５】
2004223082.tif 000007
【図６】
2004223082.tif 000008
【図７】
2004223082.tif 000009
【図８】
2004223082.tif 000010
【図９】
2004223082.tif 000011
【図１０】
2004223082.tif 000012
【図１１】
2004223082.tif 000013
【図１２】
2004223082.tif 000014
【図１３】
2004223082.tif 000015
【図１４】
2004223082.tif 000016